(57)【要約】  文書の概要を分かりやすく提示する技術を提供する。  文書処理装置１００において、取得部２９は、マークアップ言語により記述された文書を取得する。条件設定部７１は、マークアップ言語のタグセットごとに、文書のアウトラインの表示条件を設定する。条件保持部７２は、設定された表示条件を保持する。アウトラインビュー生成部７３は、取得部２９が取得した文書のアウトラインの表示要求を受け付けたときに、条件保持部７２から文書に含まれるタグセットに対応する表示条件を読み出し、その表示条件に基づいて文書のアウトライン表示を生成する。
2007052680.tif 000002
【特許請求の範囲】
【請求項１】
マークアップ言語により記述された文書を取得する文書取得部と、
前記マークアップ言語のタグセットごとに、文書のアウトラインの表示条件を設定する設定部と、
前記表示条件を保持する保持部と、
前記文書取得部が取得した文書のアウトラインの表示要求を受け付けたときに、前記保持部から前記文書に含まれるタグセットに対応する前記表示条件を読み出し、前記表示条件に基づいて前記文書のアウトライン表示を生成する生成部と、
を備えることを特徴とする文書処理装置。
【請求項２】
前記表示条件は、前記文書のアウトラインを表示するときに表示する項目を特定するための条件を含み、
前記生成部は、前記文書の中から前記表示する項目を抽出し、それらを文書における階層構造に即して階層化することにより、前記アウトライン表示を生成することを特徴とする請求項１に記載の文書処理装置。
【請求項３】
前記表示条件は、前記アウトライン表示における前記表示する項目の階層の区切りとして用いられる項目を特定するための条件を更に含み、
前記生成部は、前記文書の中から前記階層の区切りとして用いられる項目を更に抽出し、前記文書の中から抽出した前記表示する項目を、前記階層の区切りとして用いられる項目の前記文書における階層構造に即して階層化することにより、前記アウトライン表示を生成することを特徴とする請求項２に記載の文書処理装置。
【請求項４】
前記生成部は、前記階層の区切りとして用いられる項目と、その下層に存在する前記階層の区切りとして用いられる項目との間の階層にある前記表示する項目は、同一の階層とみなして前記アウトライン表示を生成することを特徴とする請求項３に記載の文書処理装置。
【請求項５】
前記表示条件は、前記文書のアウトラインを表示するときに表示する項目を特定するための条件と、前記項目の前記アウトライン表示における階層を特定するための条件とを含み、
前記生成部は、前記文書の中から前記表示する項目を抽出し、抽出した項目の前記アウトライン表示における階層を特定し、抽出した項目を特定した階層に応じて階層化することにより、前記アウトライン表示を生成することを特徴とする請求項１に記載の文書処理装置。
【請求項６】
マークアップ言語により記述された文書を取得するステップと、
前記マークアップ言語のタグセットごとに、文書のアウトラインの表示条件を設定するステップと、
前記表示条件を記憶部に保持するステップと、
取得した文書のアウトラインの表示要求を受け付けたときに、前記記憶部から前記文書に含まれるタグセットに対応する前記表示条件を読み出し、前記表示条件に基づいて前記文書のアウトライン表示を生成するステップと、
を備えることを特徴とする文書処理方法。
【請求項７】
マークアップ言語により記述された文書を取得する機能と、
前記マークアップ言語のタグセットごとに、文書のアウトラインの表示条件を設定する機能と、
前記表示条件を記憶部に保持する機能と、
取得した文書のアウトラインの表示要求を受け付けたときに、前記記憶部から前記文書に含まれるタグセットに対応する前記表示条件を読み出し、前記表示条件に基づいて前記文書のアウトライン表示を生成する機能と、
をコンピュータに実現させることを特徴とするプログラム。
【発明の詳細な説明】
【技術分野】
【０００１】
本発明は、文書処理技術に関し、特に、マークアップ言語により記述された文書を処理する文書処理装置及び文書処理方法に関する。
【背景技術】
【０００２】
ＸＭＬは、ネットワークなどを介して他者とデータを共有するのに適した形式として注目されており、ＸＭＬ文書を作成、表示、編集するためのアプリケーションが開発されている（たとえば、特許文献１参照）。ＸＭＬ文書は、文書型定義などにより定義されたボキャブラリ（タグセット）に基づいて作成されている。
【特許文献１】特開２００１−２９０８０４号公報
【発明の開示】
【発明が解決しようとする課題】
【０００３】
文書のサイズが大きくなると、全体を把握することが困難になる。大きな文書であっても、構造を把握しながら編集することができるような環境をユーザに提供する技術が望まれる。【０００４】
本発明はこうした状況に鑑みてなされたものであり、その目的は、文書の概要を分かりやすく提示する技術を提供することにある。
【課題を解決するための手段】
【０００５】
上記課題を解決するために、本発明のある態様は文書処理装置に関する。この文書処理装置は、マークアップ言語により記述された文書を取得する文書取得部と、前記マークアップ言語のタグセットごとに、文書のアウトラインの表示条件を設定する設定部と、前記表示条件を保持する保持部と、前記文書取得部が取得した文書のアウトラインの表示要求を受け付けたときに、前記保持部から前記文書に含まれるタグセットに対応する前記表示条件を読み出し、前記表示条件に基づいて前記文書のアウトライン表示を生成する生成部と、を備えることを特徴とする。【０００６】
前記表示条件は、前記文書のアウトラインを表示するときに表示する項目を特定するための条件を含んでもよく、前記生成部は、前記文書の中から前記表示する項目を抽出し、それらを文書における階層構造に即して階層化することにより、前記アウトライン表示を生成してもよい。【０００７】
前記表示条件は、前記アウトライン表示における前記表示する項目の階層の区切りとして用いられる項目を特定するための条件を更に含んでもよく、前記生成部は、前記文書の中から前記階層の区切りとして用いられる項目を更に抽出し、前記文書の中から抽出した前記表示する項目を、前記階層の区切りとして用いられる項目の前記文書における階層構造に即して階層化することにより、前記アウトライン表示を生成してもよい。前記生成部は、前記階層の区切りとして用いられる項目と、その下層に存在する前記階層の区切りとして用いられる項目との間の階層にある前記表示する項目は、同一の階層とみなして前記アウトライン表示を生成してもよい。【０００８】
前記表示条件は、前記文書のアウトラインを表示するときに表示する項目を特定するための条件と、前記項目の前記アウトライン表示における階層を特定するための条件とを含んでもよく、前記生成部は、前記文書の中から前記表示する項目を抽出し、抽出した項目の前記アウトライン表示における階層を特定し、抽出した項目を特定した階層に応じて階層化することにより、前記アウトライン表示を生成してもよい。【０００９】
本発明の別の態様は文書処理方法に関する。この文書処理方法は、マークアップ言語により記述された文書を取得するステップと、前記マークアップ言語のタグセットごとに、文書のアウトラインの表示条件を設定するステップと、前記表示条件を記憶部に保持するステップと、取得した文書のアウトラインの表示要求を受け付けたときに、前記記憶部から前記文書に含まれるタグセットに対応する前記表示条件を読み出し、前記表示条件に基づいて前記文書のアウトライン表示を生成するステップと、を備えることを特徴とする。【００１０】
なお、以上の構成要素の任意の組合せ、本発明の表現を方法、装置、システムなどの間で変換したものもまた、本発明の態様として有効である。
【発明の効果】
【００１１】
本発明によれば、文書の概要を分かりやすく提示する技術を提供することができる。
【図面の簡単な説明】
【００１２】
【図１】前提技術に係る文書処理装置の構成を示す図である。
【図２】処理対象となるＸＭＬ文書の例を示す図である。
【図３】図２に示したＸＭＬ文書をＨＴＭＬで記述された表にマッピングする例を示す図である。
【図４（ａ）】図２に示したＸＭＬ文書を図３に示した表にマッピングするための定義ファイルの例を示す図である。
【図４（ｂ）】図２に示したＸＭＬ文書を図３に示した表にマッピングするための定義ファイルの例を示す図である。
【図５】図２に示した成績管理ボキャブラリで記述されたＸＭＬ文書を、図３に示した対応によりＨＴＭＬにマッピングして表示した画面の例を示す図である。
【図６】ユーザが定義ファイルを生成するために、定義ファイル生成部がユーザに提示するグラフィカルユーザインターフェースの例を示す図である。
【図７】定義ファイル生成部により生成された画面レイアウトの他の例を示す図である。
【図８】文書処理装置によるＸＭＬ文書の編集画面の一例を示す図である。
【図９】文書処理装置により編集されるＸＭＬ文書の他の例を示す図である。
【図１０】図９に示した文書を表示した画面の例を示す図である。
【図１１】実施の形態に係る文書処理装置の構成を示す図である。
【図１２】条件設定部が提示するダイアログ画面の例を示す図である。
【図１３】図１３（ａ）（ｂ）は、条件設定部が提示するダイアログ画面の例を示す図である。
【図１４】図１３（ａ）のダイアログ画面において、「追加」又は「編集」ボタンがクリックされたときに提示されるダイアログ画面の例を示す図である。
【図１５】図１３（ｂ）のダイアログ画面において、「追加」又は「編集」ボタンがクリックされたときに提示されるダイアログ画面の例を示す図である。
【図１６】条件設定部が提示するダイアログ画面の例を示す図である。
【図１７】条件設定部により設定された表示条件の例を示す図である。
【図１８】「ＸＨＴＭＬ」ボキャブラリで記述されたＸＭＬ文書の例を示す図である。
【図１９】図１７に示した表示条件に基づいて、図１８に示したＸＭＬ文書のアウトラインを表示した例を示す図である。
【図２０】条件設定部により設定された表示条件の別の例を示す図である。
【図２１】「ＸＨＴＭＬ」ボキャブラリで記述されたＸＭＬ文書の例を示す図である。
【図２２】図２０に示した表示条件に基づいて、図２１に示したＸＭＬ文書のアウトラインを表示した例を示す図である。
【符号の説明】
【００１３】
２０  文書処理装置、２２  主制御ユニット、２４  編集ユニット、２９  取得部、３０  ＤＯＭユニット、３２  ＤＯＭ提供部、３４  ＤＯＭ生成部、３６  出力部、４０  ＣＳＳユニット、４２  ＣＳＳ解析部、４４  ＣＳＳ提供部、４６  レンダリング部、５０  ＨＴＭＬユニット、５２，６２  制御部、５４，６４  編集部、５６，６６  表示部、６０  ＳＶＧユニット、７０  アウトライン表示ユニット、７１  条件設定部、７２  条件保持部、７３  アウトラインビュー生成部、８０  ＶＣユニット、８２  マッピング部、８４  定義ファイル取得部、８６  定義ファイル生成部、１００  文書処理装置。
【発明を実施するための最良の形態】
【００１４】
（前提技術）
図１は、前提技術に係る文書処理装置２０の構成を示す。文書処理装置２０は、文書内のデータが階層構造を有する複数の構成要素に分類された構造化文書を処理するが、本前提技術では構造化文書の一例としてＸＭＬ文書を処理する例について説明する。文書処理装置２０は、主制御ユニット２２、編集ユニット２４、ＤＯＭユニット３０、ＣＳＳユニット４０、ＨＴＭＬユニット５０、ＳＶＧユニット６０、及び変換部の一例であるＶＣユニット８０を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。【００１５】
主制御ユニット２２は、プラグインのロードや、コマンド実行のフレームワークを提供する。編集ユニット２４は、ＸＭＬ文書を編集するためのフレームワークを提供する。文書処理装置２０における文書の表示及び編集機能は、プラグインにより実現されており、文書の種別に応じて必要なプラグインが主制御ユニット２２又は編集ユニット２４によりロードされる。主制御ユニット２２又は編集ユニット２４は、処理対象となるＸＭＬ文書の名前空間を参照して、ＸＭＬ文書がいずれのボキャブラリにより記述されているかを判別し、そのボキャブラリに対応した表示又は編集用のプラグインをロードして表示や編集を実行させる。例えば、文書処理装置２０には、ＨＴＭＬ文書の表示及び編集を行うＨＴＭＬユニット５０、ＳＶＧ文書の表示及び編集を行うＳＶＧユニット６０など、ボキャブラリ（タグセット）ごとに表示系及び編集系がプラグインとして実装されており、ＨＴＭＬ文書を編集するときはＨＴＭＬユニット５０が、ＳＶＧ文書を編集するときはＳＶＧユニット６０が、それぞれロードされる。後述するように、ＨＴＭＬとＳＶＧの双方の構成要素を含む複合文書が処理対象となっている場合は、ＨＴＭＬユニット５０とＳＶＧユニット６０の双方がロードされる。【００１６】
このような構成によれば、ユーザは、必要な機能のみを選択してインストールし、後から適宜機能を追加又は削除することができるので、プログラムを格納するハードディスクなどの記録媒体の記憶領域を有効に活用することができ、また、プログラム実行時にも、メモリの浪費を防ぐことができる。また、機能拡張性に優れており、開発主体としても、プラグインの形で新たなボキャブラリに対応することが可能なので開発が容易となり、ユーザとしても、プラグインの追加により容易かつ低コストにて機能を追加することができる。【００１７】
編集ユニット２４は、ユーザインターフェースを介してユーザから編集指示のイベントを受け付け、そのイベントを適切なプラグインなどに通知するともに、イベントの再実行（リドゥ）又は実行の取消（アンドゥ）などの処理を制御する。【００１８】
ＤＯＭユニット３０は、ＤＯＭ提供部３２、ＤＯＭ生成部３４、及び出力部３６を含み、ＸＭＬ文書をデータとして扱うときのアクセス方法を提供するために定められた文書オブジェクトモデル（Document Object Model：ＤＯＭ）に準拠した機能を実現する。ＤＯＭ提供部３２は、編集ユニット２４に定義されているインタフェースを満たすＤＯＭの実装である。ＤＯＭ生成部３４は、ＸＭＬ文書からＤＯＭツリーを生成する。後述するように、処理対象となるＸＭＬ文書が、ＶＣユニット８０により他のボキャブラリにマッピングされる場合は、マッピング元のＸＭＬ文書に対応するソースツリーと、マッピング先のＸＭＬ文書に対応するデスティネーションツリーが生成される。出力部３６は、例えば編集終了時に、ＤＯＭツリーをＸＭＬ文書として出力する。【００１９】
ＣＳＳユニット４０は、ＣＳＳ解析部４２、ＣＳＳ提供部４４、及びレンダリング部４６を含み、ＣＳＳに準拠した表示機能を提供する。ＣＳＳ解析部４２は、ＣＳＳの構文を解析するパーサの機能を有する。ＣＳＳ提供部４４は、ＣＳＳオブジェクトの実装であり、ＤＯＭツリーに対してＣＳＳのカスケード処理を行う。レンダリング部４６は、ＣＳＳのレンダリングエンジンであり、ＣＳＳを用いてレイアウトされるＨＴＭＬなどのボキャブラリで記述された文書の表示に用いられる。【００２０】
ＨＴＭＬユニット５０は、ＨＴＭＬにより記述された文書を表示又は編集する。ＳＶＧユニット６０は、ＳＶＧにより記述された文書を表示又は編集する。これらの表示／編集系は、プラグインの形で実現されており、それぞれ、文書を表示する表示部（Canvas）５６、６６、編集指示を含むイベントを送受信する制御部（Editlet）５２、６２、編集コマンドを受けてＤＯＭに対して編集を行う編集部（Zone）５４、６４を備える。制御部５２又は６２が外部からＤＯＭツリーの編集コマンドを受け付けると、編集部５４又は６４がＤＯＭツリーを変更し、表示部５６又は６６が表示を更新する。これらは、ＭＶＣ（Model-View-Controller）と呼ばれるフレームワークに類似する構成をとっており、概ね、表示部５６及び６６が「View」に、制御部５２及び６２が「Controller」に、編集部５４及び６４とＤＯＭの実体が「Model」に、それぞれ対応する。本前提技術の文書処理装置２０では、ＸＭＬ文書をツリー表示形式で編集するだけでなく、それぞれのボキャブラリに応じた編集を可能とする。例えば、ＨＴＭＬユニット５０は、ＨＴＭＬ文書をワードプロセッサに類似した方式で編集するためのユーザインターフェースを提供し、ＳＶＧユニット６０は、ＳＶＧ文書を画像描画ツールに類似した方式で編集するためのユーザインターフェースを提供する。【００２１】
ＶＣユニット８０は、マッピング部８２、定義ファイル取得部８４、及び定義ファイル生成部８６を含み、あるボキャブラリにより記述された文書を、他のボキャブラリにマッピングすることにより、マッピング先のボキャブラリに対応した表示編集用プラグインで文書を表示又は編集するためのフレームワークを提供する。本前提技術では、この機能を、ボキャブラリコネクション（Vocabulary Connection：ＶＣ）と呼ぶ。定義ファイル取得部８４は、マッピングの定義を記述したスクリプトファイルを取得する。この定義ファイルは、ノードごとに、ノード間の対応（コネクション）を記述する。このとき、各ノードの要素値や属性値の編集の可否を指定してもよい。また、ノードの要素値や属性値を用いた演算式を記述してもよい。これらの機能については、後で詳述する。マッピング部８２は、定義ファイル取得部８４が取得したスクリプトファイルを参照して、ＤＯＭ生成部３４にデスティネーションツリーを生成させ、ソースツリーとデスティネーションツリーの対応関係を管理する。定義ファイル生成部８６は、ユーザが定義ファイルを生成するためのグラフィカルユーザインターフェースを提供する。【００２２】
ＶＣユニット８０は、ソースツリーとデスティネーションツリーの間のコネクションを監視し、表示を担当するプラグインにより提供されるユーザインタフェースを介してユーザから編集指示を受け付けると、まずソースツリーの該当するノードを変更する。ＤＯＭユニット３０が、ソースツリーが変更された旨のミューテーションイベントを発行すると、ＶＣユニット８０は、そのミューテーションイベントを受けて、ソースツリーの変更にデスティネーションツリーを同期させるべく、変更されたノードに対応するデスティネーションツリーのノードを変更する。デスティネーションツリーを表示／編集するプラグイン、例えばＨＴＭＬユニット５０は、デスティネーションツリーが変更された旨のミューテーションイベントを受けて、変更されたデスティネーションツリーを参照して表示を更新する。このような構成により、少数のユーザにより利用されるローカルなボキャブラリにより記述された文書であっても、他のメジャーなボキャブラリに変換することで、文書を表示することができるとともに、編集環境が提供される。【００２３】
文書処理装置２０により文書を表示又は編集する動作について説明する。文書処理装置２０が処理対象となる文書を読み込むと、ＤＯＭ生成部３４が、そのＸＭＬ文書からＤＯＭツリーを生成する。また、主制御ユニット２２又は編集ユニット２４は、名前空間を参照して文書を記述しているボキャブラリを判別する。そのボキャブラリに対応したプラグインが文書処理装置２０にインストールされている場合は、そのプラグインをロードして、文書を表示／編集させる。プラグインがインストールされていない場合は、マッピングの定義ファイルが存在するか否かを確認する。定義ファイルが存在する場合、定義ファイル取得部８４が定義ファイルを取得し、その定義に従って、デスティネーションツリーが生成され、マッピング先のボキャブラリに対応するプラグインにより文書が表示／編集される。複数のボキャブラリを含む複合文書である場合は、後述するように、それぞれのボキャブラリに対応したプラグインにより、文書の該当箇所がそれぞれ表示／編集される。定義ファイルが存在しない場合は、文書のソース又はツリー構造を表示し、その表示画面において編集が行われる。【００２４】
図２は、処理対象となるＸＭＬ文書の例を示す。このＸＭＬ文書は、生徒の成績データを管理するために用いられる。ＸＭＬ文書のトップノードである構成要素「成績」は、配下に、生徒ごとに設けられた構成要素「生徒」を複数有する。構成要素「生徒」は、属性値「名前」と、子要素「国語」、「数学」、「理科」、「社会」を有する。属性値「名前」は、生徒の名前を格納する。構成要素「国語」、「数学」、「理科」、「社会」は、それぞれ、国語、数学、理科、社会の成績を格納する。例えば、名前が「Ａ」である生徒の国語の成績は「９０」、数学の成績は「５０」、理科の成績は「７５」、社会の成績は「６０」である。以下、この文書で使用されているボキャブラリ（タグセット）を、「成績管理ボキャブラリ」と呼ぶ。【００２５】
本前提技術の文書処理装置２０は、成績管理ボキャブラリの表示／編集に対応したプラグインを有しないので、この文書をソース表示、ツリー表示以外の方法で表示するためには、前述したＶＣ機能が用いられる。すなわち、成績管理ボキャブラリを、プラグインが用意された別のボキャブラリ、例えば、ＨＴＭＬやＳＶＧなどにマッピングするための定義ファイルを用意する必要がある。ユーザ自身が定義ファイルを作成するためのユーザインターフェースについては後述することにして、ここでは、既に定義ファイルが用意されているとして説明を進める。【００２６】
図３は、図２に示したＸＭＬ文書をＨＴＭＬで記述された表にマッピングする例を示す。図３の例では、成績管理ボキャブラリの「生徒」ノードを、ＨＴＭＬにおける表（「TABLE」ノード）の行（「TR」ノード）に対応づけ、各行の第１列には属性値「名前」を、第２列には「国語」ノードの要素値を、第３列には「数学」ノードの要素値を、第４列には「理科」ノードの要素値を、第５列には「社会」ノードの要素値を、それぞれ対応付ける。これにより、図２に示したＸＭＬ文書を、ＨＴＭＬの表形式で表示することができる。また、これらの属性値及び要素値は、編集可能であることが指定されており、ユーザがＨＴＭＬによる表示画面上で、ＨＴＭＬユニット５０の編集機能により、これらの値を編集することができる。第６列には、国語、数学、理科、社会の成績の加重平均を算出する演算式が指定されており、生徒の成績の平均点が表示される。このように、定義ファイルに演算式を指定可能とすることにより、より柔軟な表示が可能となり、編集時のユーザの利便性を向上させることができる。なお、第６列は、編集不可であることが指定されており、平均点のみを個別に編集することができないようにしている。このように、マッピング定義において、編集の可否を指定可能とすることにより、ユーザの誤操作を防ぐことができる。【００２７】
図４（ａ）及び図４（ｂ）は、図２に示したＸＭＬ文書を図３に示した表にマッピングするための定義ファイルの例を示す。この定義ファイルは、定義ファイル用に定義されたスクリプト言語により記述される。定義ファイルには、コマンドの定義と、表示のテンプレートが記述されている。図４（ａ）（ｂ）の例では、コマンドとして、「生徒の追加」と「生徒の削除」が定義されており、それぞれ、ソースツリーにノード「生徒」を挿入する操作と、ソースツリーからノード「生徒」を削除する操作が対応付けられている。また、テンプレートとして、表の第１行に「名前」、「国語」などの見出しが表示され、第２行以降に、ノード「生徒」の内容が表示されることが記述されている。ノード「生徒」の内容を表示するテンプレート中、「text-of」と記述された項は「編集可能」であることを意味し、「value-of」と記述された項は「編集不可能」であることを意味する。また、ノード「生徒」の内容を表示する行のうち、第６列には、「(src:国語 + src:数学 + src:理科 + src:社会) div 4」という計算式が記述されており、生徒の成績の平均が表示されることを意味する。【００２８】
図５は、図２に示した成績管理ボキャブラリで記述されたＸＭＬ文書を、図３に示した対応によりＨＴＭＬにマッピングして表示した画面の例を示す。表９０の各行には、左から、各生徒の名前、国語の成績、数学の成績、理科の成績、社会の成績、及び平均点が表示されている。ユーザは、この画面上で、ＸＭＬ文書を編集することができる。たとえば、第２行第３列の値を「７０」に変更すると、このノードに対応するソースツリーの要素値、すなわち、生徒「Ｂ」の数学の成績が「７０」に変更される。このとき、ＶＣユニット８０は、デスティネーションツリーをソースツリーに追従させるべく、デスティネーションツリーの該当箇所を変更し、ＨＴＭＬユニット５０が、変更されたデスティネーションツリーに基づいて表示を更新する。したがって、画面上の表においても、生徒「Ｂ」の数学の成績が「７０」に変更され、更に、平均点が「５５」に変更される。【００２９】
図５に示した画面には、図４（ａ）（ｂ）に示した定義ファイルに定義されたように、「生徒の追加」及び「生徒の削除」のコマンドがメニューに表示される。ユーザがこれらのコマンドを選択すると、ソースツリーにおいて、ノード「生徒」が追加又は削除される。このように、本前提技術の文書処理装置２０では、階層構造の末端の構成要素の要素値を編集するのみではなく、階層構造を編集することも可能である。このようなツリー構造の編集機能は、コマンドの形でユーザに提供されてもよい。また、例えば、表の行を追加又は削除するコマンドが、ノード「生徒」を追加又は削除する操作に対応づけられてもよい。また、他のボキャブラリを埋め込むコマンドがユーザに提供されてもよい。この表を入力用テンプレートとして、穴埋め形式で新たな生徒の成績データを追加することもできる。以上のように、ＶＣ機能により、ＨＴＭＬユニット５０の表示／編集機能を利用しつつ、成績管理ボキャブラリで記述された文書を編集することが可能となる。【００３０】
図６は、ユーザが定義ファイルを生成するために、定義ファイル生成部８６がユーザに提示するグラフィカルユーザインタフェースの例を示す。画面左側の領域９１には、マッピング元のＸＭＬ文書がツリー表示されている。画面右側の領域９２には、マッピング先のＸＭＬ文書の画面レイアウトが示されている。この画面レイアウトは、ＨＴＭＬユニット５０により編集可能となっており、ユーザは、画面右側の領域９２において、文書を表示するための画面レイアウトを作成する。そして、例えば、マウスなどのポインティングデバイスにより、画面左側の領域９１に表示されたマッピング元のＸＭＬ文書のノードを、画面右側の領域９２に表示されたＨＴＭＬによる画面レイアウト中へドラッグ＆ドロップ操作を行うことにより、マッピング元のノードと、マッピング先のノードとのコネクションが指定される。例えば、要素「生徒」の子要素である「数学」を、ＨＴＭＬ画面の表９０の第１行第３列にドロップすると、「数学」ノードと、３列目の「ＴＤ」ノードの間にコネクションが張られる。各ノードには、編集の可否が指定できるようになっている。また、表示画面中には、演算式を埋め込むこともできる。画面の編集が終わると、定義ファイル生成部８６は、画面レイアウトとノード間のコネクションを記述した定義ファイルを生成する。【００３１】
ＸＨＴＭＬ、ＭａｔｈＭＬ、ＳＶＧなどの主要なボキャブラリに対応したビューワやエディタは既に開発されているが、図２に示した文書のようなオリジナルなボキャブラリで記述された文書に対応したビューワやエディタを開発するのは現実的でない。しかし、上記のように、他のボキャブラリにマッピングするための定義ファイルを作成すれば、ビューワやエディタを開発しなくても、ＶＣ機能を利用して、オリジナルなボキャブラリで記述された文書を表示・編集することができる。【００３２】
図７は、定義ファイル生成部８６により生成された画面レイアウトの他の例を示す。図７の例では、成績管理ボキャブラリで記述されたＸＭＬ文書を表示するための画面に、表９０と、円グラフ９３が作成されている。この円グラフ９３は、ＳＶＧにより記述される。後述するように、本前提技術の文書処理装置２０は、一つのＸＭＬ文書内に複数のボキャブラリを含む複合文書を処理することができるので、この例のように、ＨＴＭＬで記述された表９０と、ＳＶＧで記述された円グラフ９３とを、一つの画面上に表示することができる。【００３３】
図８は、文書処理装置２０によるＸＭＬ文書の編集画面の一例を示す。図８の例では、一つの画面が複数に分割されており、それぞれの領域において、処理対象となるＸＭＬ文書を異なる複数の表示形式により表示している。領域９４には、文書のソースが表示されており、領域９５には、文書のツリー構造が表示されており、領域９６には、図５に示したＨＴＭＬにより記述された表が表示されている。これらのいずれの画面上においても、文書の編集が可能であり、いずれかの画面上でユーザが編集を行うと、ソースツリーが変更され、それぞれの画面の表示を担当するプラグインが、ソースツリーの変更を反映すべく画面を更新する。具体的には、ソースツリーの変更を通知するミューテーションイベントのリスナーとして、それぞれの編集画面の表示を担当するプラグインの表示部を登録しておき、いずれかのプラグイン又はＶＣユニット８０によりソースツリーが変更されたときに、編集画面を表示中の全ての表示部が、発行されたミューテーションイベントを受け取って画面を更新する。このとき、プラグインがＶＣ機能により表示を行っている場合は、ＶＣユニット８０がソースツリーの変更に追従してデスティネーションツリーを変更した後、変更されたデスティネーションツリーを参照してプラグインの表示部が画面を更新する。【００３４】
例えば、ソース表示及びツリー表示を、専用のプラグインにより実現している場合は、ソース表示用プラグインとツリー表示用プラグインは、デスティネーションツリーを用いず、直接ソースツリーを参照して表示を行う。この場合、いずれかの画面において編集が行われると、ソース表示用プラグインとツリー表示用プラグインは、変更されたソースツリーを参照して画面を更新し、領域９６の画面を担当しているＨＴＭＬユニット５０は、ソースツリーの変更に追従して変更されたデスティネーションツリーを参照して画面を更新する。【００３５】
ソース表示及びツリー表示は、ＶＣ機能を利用して実現することもできる。すなわち、ソース、ツリー構造をＨＴＭＬによりレイアウトし、そのＨＴＭＬにＸＭＬ文書をマッピングして、ＨＴＭＬユニット５０により表示してもよい。この場合、ソース形式、ツリー形式、表形式の３つのデスティネーションツリーが生成されることになる。いずれかの画面において編集が行われると、ＶＣユニット８０は、ソースツリーを変更した後、ソース形式、ツリー形式、表形式の３つのデスティネーションツリーをそれぞれ変更し、ＨＴＭＬユニット５０は、それらのデスティネーションツリーを参照して、３つの画面を更新する。【００３６】
このように、一つの画面上に複数の表示形式で文書を表示することにより、ユーザの利便性を向上させることができる。例えば、ユーザは、ソース表示又はツリー表示により文書の階層構造を把握しつつ、表９０などを用いて視覚的に分かりやすい形式で文書を表示し、編集することができる。上記の例では、一つの画面を分割して複数の表示形式による画面を同時に表示したが、一つの画面に一つの表示形式による画面を表示し、表示形式をユーザの指示により切り替え可能としてもよい。この場合、主制御ユニット２２が、ユーザから表示形式の切り替え要求を受け付け、各プラグインに指示して表示を切り替える。【００３７】
図９は、文書処理装置２０により編集されるＸＭＬ文書の他の例を示す。図９に示したＸＭＬ文書では、ＳＶＧ文書の「foreignObject」タグの中にＸＨＴＭＬ文書が埋め込まれており、さらに、ＸＨＴＭＬ文書の中にＭａｔｈＭＬで記述された数式が入っている。このような場合、編集ユニット２４が、名前空間を参照して、適切な表示系に描画作業を振り分ける。図９の例では、編集ユニット２４は、まず、ＳＶＧユニット６０に四角形を描画させ、つづいて、ＨＴＭＬユニット５０にＸＨＴＭＬ文書を描画させる。さらに、図示しないＭａｔｈＭＬユニットに、数式を描画させる。こうして、複数のボキャブラリを包含する複合文書が適切に表示される。表示結果を図１０に示す。【００３８】
文書編集中、カーソル（キャリッジ）の位置に応じて、表示されるメニューを切り替えてもよい。すなわち、カーソルが、ＳＶＧ文書が表示された領域内に存在するときは、ＳＶＧユニット６０が提供するメニュー、又はＳＶＧ文書をマッピングするための定義ファイルに定義されたコマンドを表示し、カーソルが、ＸＨＴＭＬ文書が表示された領域内に存在するときは、ＨＴＭＬユニット５０が提供するメニュー、又はＸＨＴＭＬ文書をマッピングするための定義ファイルに定義されたコマンドを表示する。これにより、編集位置に応じて適切なユーザインターフェースを提供することができる。【００３９】
複合文書において、あるボキャブラリに対応する適切なプラグイン又はマッピング定義ファイルがなかった場合は、そのボキャブラリにより記述された部分は、ソース表示又はツリー表示されてもよい。従来、ある文書に他の文書を埋め込んだ複合文書を開くとき、埋め込まれた文書を表示するアプリケーションがインストールされていないと、その内容を表示することができなかったが、本前提技術では、表示用のアプリケーションが存在しなくても、テキストデータにより構成されたＸＭＬ文書をソース表示又はツリー表示することにより内容を把握することができる。これは、テキストベースであるＸＭＬなどの文書ならではの特徴といえる。【００４０】
データがテキストベースで記述されることの他の利点として、例えば、複合文書中の、あるボキャブラリにより記述される部分において、同一文書内の他のボキャブラリで記述された部分のデータを参照してもよい。また、文書内で検索を実行する時に、ＳＶＧなどの図に埋め込まれた文字列も検索対象とすることができる。【００４１】
あるボキャブラリにより記述された文書内に、他のボキャブラリのタグを用いてもよい。このＸＭＬ文書は、妥当（valid）ではないが、整形式（well-formed）であれば、有効なＸＭＬ文書として処理可能である。この場合、挿入された他のボキャブラリのタグは、定義ファイルによりマッピングされてもよい。例えば、ＸＨＴＭＬ文書中に、「重要」、「最重要」などのタグを使用し、これらのタグで囲まれた部分を強調表示してもよいし、重要度の順にソートして表示してもよい。【００４２】
図１０に示した編集画面において、ユーザにより文書が編集されると、編集された部分を担当するプラグイン又はＶＣユニット８０がソースツリーを変更する。ソースツリーには、ノードごとにミューテーションイベントのリスナーを登録できるようになっており、通常は、各ノードが属するボキャブラリに対応したプラグインの表示部又はＶＣユニット８０がリスナーとして登録される。ＤＯＭ提供部３２は、ソースツリーが変更されると、変更されたノードから上位の階層へたどって、登録されたリスナーがあれば、そのリスナーへミューテーションイベントを発行する。例えば、図９に示した文書において、＜ｈｔｍｌ＞ノードの下位のノードが変更された場合、＜ｈｔｍｌ＞ノードにリスナーとして登録されたＨＴＭＬユニット５０にミューテーションイベントが通知されるとともに、その上位の＜ｓｖｇ＞ノードにリスナーとして登録されたＳＶＧユニット６０にもミューテーションイベントが通知される。このとき、ＨＴＭＬユニット５０は、変更されたソースツリーを参照して表示を更新する。ＳＶＧユニット６０は、自身のボキャブラリに属するノードが変更されていないので、ミューテーションイベントを無視してもよい。【００４３】
編集の内容によっては、ＨＴＭＬユニット５０による表示の更新に伴って、全体のレイアウトが変わる可能性がある。この場合は、画面のレイアウトを管理する構成、例えば最上位のノードの表示を担当するプラグインにより、プラグインごとの表示領域のレイアウトが更新される。例えば、ＨＴＭＬユニット５０による表示領域が以前より大きくなった場合、ＨＴＭＬユニット５０は、まず自身の担当する部分を描画して、表示領域の大きさを決定する。そして、画面のレイアウトを管理する構成に、変更後の表示領域の大きさを通知し、レイアウトの更新を依頼する。画面のレイアウトを管理する構成は、通知を受けて、プラグインごとの表示領域を再レイアウトする。こうして、編集された部分の表示が適切に更新されるとともに、画面全体のレイアウトが更新される。【００４４】
（実施の形態）
実施の形態では、ＸＭＬ文書から特定の要素又は属性を抽出して文書のアウトラインを表示する技術を提案する。【００４５】
図１１は、実施の形態に係る文書処理装置１００の構成を示す図である。文書処理装置１００は、前提技術で説明した文書処理装置２０の構成に加えて、取得部２９及びアウトライン表示ユニット７０を備える。取得部２９は、ＸＭＬなどのマークアップ言語により記述された文書を取得する。アウトライン表示ユニット７０は、取得した文書の構造の概要を表示する。アウトライン表示ユニット７０は、文書のアウトラインの表示条件を設定する条件設定部７１と、設定された表示条件を保持する条件保持部７２と、設定された表示条件に基づいて文書のアウトラインの表示画面を生成するアウトラインビュー生成部７３とを含む。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。【００４６】
条件設定部７１は、タグセット又はボキャブラリごとにアウトラインの表示条件を設定する。ここで、「タグセット」は、文書をマークアップするためのタグの集合であり、ボキャブラリと同義に用いられることが多いが、「タグセット」は、「ボキャブラリ」の部分集合であってもよく、また、複数のボキャブラリのタグを含んでもよい。【００４７】
条件設定部７１は、ボキャブラリのスキーマなどに基づいてアウトラインの表示条件を自動的に設定してもよいし、ユーザから表示条件を受け付けてもよい。スキーマからアウトラインの表示条件を自動生成する場合は、条件設定部７１は、スキーマに基づいてタグの階層構造を把握し、例えば、ルート要素から下位の層へ向かって、複数回並列に存在する要素を探索し、その要素を、アウトライン表示のときに抽出する要素に設定してもよい。【００４８】
ユーザから表示条件を受け付ける場合は、条件設定部７１は、設定用のダイアログ画面などを提示して、ユーザから、表示条件を設定するボキャブラリ又はタグセットの名前空間ＵＲＩ、ルート要素の要素名、抽出すべき要素又は属性の種類、フォントサイズや色などの表示形式、などを受け付ける。【００４９】
図１２は、条件設定部７１が提示するダイアログ画面の例を示す。ダイアログ画面３００１は、アウトライン表示に関する全般的な設定を受け付けるための画面である。ダイアログ画面３００１は、アウトラインの表示条件を設定するボキャブラリの名前空間と、ルート要素と、セクション指定の有無とを受け付ける。セクション指定については後で詳述するが、セクションが指定された場合は、文書内の階層構造における、セクション項目として指定された要素の階層構造が反映されたアウトラインが表示され、セクションが指定されない場合は、表示条件として設定された階層構造によりアウトラインが表示される。【００５０】
図１３（ａ）（ｂ）は、条件設定部７１が提示するダイアログ画面の例を示す。図１３（ａ）に示すダイアログ画面３００２及び図１３（ｂ）に示すダイアログ画面３００３は、アウトライン表示において表示される項目の設定を受け付けるための画面である。ダイアログ画面３００２は、ダイアログ画面３００１において、セクション指定で「あり」が指定された場合に、設定済みのセクションとタイトルの対を一覧表示する。ダイアログ画面３００３は、ダイアログ画面３００１において、セクション指定で「なし」が指定された場合に、設定済みのタイトルと階層の対を一覧表示する。それぞれの画面において、「追加」又は「編集」ボタンがクリックされると、追加／編集ダイアログ画面が提示される。【００５１】
図１４は、図１３（ａ）のダイアログ画面３００２において、「追加」又は「編集」ボタンがクリックされたときに提示されるダイアログ画面の例を示す。ダイアログ画面３００４は、セクション及びタイトルの追加又は編集を受け付けるための画面である。セクションは、文書における要素（タグ）の階層構造の区切りを示す項目である。タイトルは、アウトライン表示において表示される項目である。ダイアログ画面３００４は、セクションの要素名と、タイトルの要素名を受け付ける。セクション又はタイトルとして、属性、グローバル属性、属性値を指定することもできる。このダイアログ画面３００４において、「参照」ボタンがクリックされると、設定可能な要素名、属性名、グローバル属性の候補が提示される。この候補は、現在編集対象となっている文書に含まれる要素又は属性を参照して提示されてもよいし、表示条件の設定対象となっているボキャブラリのスキーマ又はインスタンスを参照して提示されてもよい。【００５２】
図１５は、図１３（ｂ）のダイアログ画面３００３において、「追加」又は「編集」ボタンがクリックされたときに提示されるダイアログ画面の例を示す。ダイアログ画面３００５は、タイトル及び階層を受け付けるための画面である。タイトルは、アウトライン表示において表示される項目である。複数のタイトルを用いてアウトライン表示する場合には、それらのタイトルのアウトライン表示における階層（レベル）を指定することができる。【００５３】
このように、表示条件として、文書の階層構造を反映したアウトライン表示が生成されるような表示条件が設定されてもよいし、文書の階層構造とは異なる階層構造を定義できるようにしてもよい。前者の場合、例えば、表示する項目として、要素又は属性などをタイトル項目として設定しておき、その項目を文書内から抽出し、それらを文書における階層構造に即して階層的に表示する。このとき、セクション項目に基づいて階層が決定される。すなわち、あるセクション項目と、それよりも下位に存在するセクション項目との間の階層にあるタイトル項目は、文書内における階層が異なっていたとしても、全て同一階層とみなされる。後者の場合、例えば文書が階層構造を有しない場合であっても、要素又は属性などのタイトル項目に階層を指定しておくことにより、階層的なアウトライン表示が実現される。【００５４】
図１６は、条件設定部７１が提示するダイアログ画面の例を示す。ダイアログ画面３００６は、アウトライン表示における階層ごとの表示スタイルを受け付けるための画面である。各階層のタイトルの表示スタイルとして、文字サイズ、太字や斜体字などの文字修飾の有無、文字色を指定することができる。【００５５】
図１７は、条件設定部７１により設定された表示条件の例を示す。本実施の形態では、表示条件はＸＭＬ形式で条件保持部７２に格納される。図１７の設定ファイル３１０１は、「ＸＨＴＭＬ」ボキャブラリで記述された文書のアウトラインを表示するための表示条件を格納する。設定ファイル３１０１では、セクション項目として要素「div」が指定されており、タイトル項目として要素「h1」、「h2」、「h3」、「h4」が指定されている。したがって、要素「div」がアウトライン表示におけるタイトル項目の階層の区切りとなる。【００５６】
図１８は、「ＸＨＴＭＬ」ボキャブラリで記述されたＸＭＬ文書３１０２の例を示す。図１９は、図１７に示した表示条件に基づいて、図１８に示したＸＭＬ文書３１０２のアウトラインを表示した表示画面３１０３の例を示す。表示画面３１０３は、２つの表示領域に分割されており、左側には文書のアウトラインが表示され、右側には文書の本文が表示されている。アウトラインビュー生成部７３は、表示すべきＸＭＬ文書のルート要素の名前空間に基づいて、適用すべき表示条件を条件保持部７２から読み出す。この場合、セクションが指定された表示条件が設定されているので、アウトラインビュー生成部７３は、指定されたタイトル項目を文書中から抽出しつつ、セクション項目を階層の区切りとして、抽出されたタイトル項目の階層構造を構築する。この例では、要素「div」がセクション項目として指定されているので、文書中の要素「div」の階層構造に即して、タイトル項目を階層化して表示している。要素又は属性がタイトル項目に設定されている場合には、その要素又は属性のテキストノードの値がタイトル項目として表示されてもよいし、要素名又は属性名が表示されてもよい。属性値がタイトル項目に設定されている場合には、その属性値が表示されてもよい。【００５７】
アウトラインビューにおいて、自身よりも下位の階層に他のタイトル項目を包含するタイトル項目には、下位の階層の表示／非表示を指定するためのアイコンなどのＵＩが設けられており、このアイコンをクリックすることにより、下位の階層を展開したり折り畳んだりすることができる。アウトラインビューにおいて、表示されているタイトル項目をダブルクリックすることにより、本文中の該当部分へジャンプできるようにしてもよい。また、アウトラインビューにおいてタイトル項目として表示されている要素値、属性値などを編集可能としてもよい。さらに、アウトラインビューにおいて文書の階層構造を編集可能としてもよい。例えば、タイトル項目をドラッグアンドドロップすることにより、本文の階層構造を変化させることができるようにしてもよい。【００５８】
図２０は、条件設定部７１により設定された表示条件の別の例を示す。図２０の設定ファイル３１１１は、「ＸＨＴＭＬ」ボキャブラリで記述された文書のアウトラインを表示するための表示条件を格納する。設定ファイル３１１１では、セクションが指定されておらず、タイトル項目と階層が対応づけられて格納されている。例えば、要素「h1」には最上位の階層であるレベル「１」が指定されており、要素「h2」にはレベル「２」が、要素「h3」にはレベル「３」が、要素「h4」にはレベル「４」が指定されている。【００５９】
図２１は、「ＸＨＴＭＬ」ボキャブラリで記述されたＸＭＬ文書３１１２の例を示す。図２２は、図２０に示した表示条件に基づいて、図２１に示したＸＭＬ文書３１１２のアウトラインを表示した表示画面３１１３の例を示す。アウトラインビュー生成部７３は、指定されたタイトル項目を文書中から抽出して、それぞれのタイトル項目に指定されたレベルに基づいて階層化して表示する。要素「h1」、要素「h2」、要素「h3」、要素「h4」は、ＸＭＬ文書３１１２内の要素の階層構造としては全て同一の階層に属しているが、設定ファイル３１１１において指定された階層に応じて階層化されて表示されている。【００６０】
文書内に複数の名前空間が含まれる場合は、名前空間に基づいて文書を複数の領域に分割し、それぞれの領域の名前空間に基づいて、上述したようにアウトラインビューを生成する。表示条件が設定されていない名前空間に属する要素が存在する場合には、不明な名前空間であることを示すアイコンなどを表示してもよいし、文書のソースを表示してもよい。【００６１】
特定のボキャブラリで記述された領域のみをアウトライン表示するようにしてもよい。例えば、アウトライン表示すべきボキャブラリのグループを設定しておき、文書をアウトライン表示するときには、そのグループに含まれるボキャブラリで記述された領域のみをアウトライン表示するようにしてもよい。これにより、巨大な文書であったとしても、注目するボキャブラリの要素又は属性により、文書の構造を分かりやすく表示することができる。【００６２】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。【００６３】
実施の形態では、ＸＭＬ文書を処理する例について説明したが、本実施の形態の文書処理装置１００は、他のマークアップ言語、例えば、ＳＧＭＬ、ＨＴＭＬなどで記述された文書も同様に処理可能である。
【産業上の利用可能性】
【００６４】
本発明は、マークアップ言語により記述された文書を処理する文書処理装置に利用可能である。
【図１】
2007052680.tif 000003
【図２】
2007052680.tif 000004
【図３】
2007052680.tif 000005
【図４（ａ）】
2007052680.tif 000006
【図４（ｂ）】
2007052680.tif 000007
【図５】
2007052680.tif 000008
【図６】
2007052680.tif 000009
【図７】
2007052680.tif 000010
【図８】
2007052680.tif 000011
【図９】
2007052680.tif 000012
【図１０】
2007052680.tif 000013
【図１１】
2007052680.tif 000014
【図１２】
2007052680.tif 000015
【図１３】
2007052680.tif 000016
【図１４】
2007052680.tif 000017
【図１５】
2007052680.tif 000018
【図１６】
2007052680.tif 000019
【図１７】
2007052680.tif 000020
【図１８】
2007052680.tif 000021
【図１９】
2007052680.tif 000022
【図２０】
2007052680.tif 000023
【図２１】
2007052680.tif 000024
【図２２】
2007052680.tif 000025
【国際調査報告】
2007052680.tif 000026
2007052680.tif 000027